(57)【要約】【課題】  音響装置等の電子機器の作動時に、振動を軽減することによって電子機器の良好な作動状態を得ることができ、操作性、取扱性のよい操作スイッチを提供する。【解決手段】  電子機器の操作スイッチ（１）は、操作片（３）を備えている。この操作片（３）の裏側に弾性部材（４）を介して錘（５）を取り付ける。この錘（５）は、電子機器が作動しているときに、種々の原因により操作スイッチ（１）に発生する振動を打ち消すように振動する。これにより操作スイッチ（１）の振動が抑えられ、電子機器の良好な作動状態を得ることができる。【選択図】          図２
2006012577.tif 000002
【特許請求の範囲】
【請求項１】
電子機器の操作スイッチであって、使用者が触接する操作片の裏側に弾性部材を介して錘を取り付けたことを特徴とする操作スイッチ。
【請求項２】
前記錘の重量及び前記弾性部材の形状及び硬さを、前記操作スイッチの振動を抑制できるように前記操作スイッチの固有振動数に対応させたことを特徴とする請求項１記載の操作スイッチ。
【請求項３】
前記操作片は前記電子機器の内部へ向かって延びる棒体を備え、前記弾性部材及び前記錘をそれぞれリング状に成形し、その内周面に前記棒体が接触しないように前記棒体を挿通したことを特徴とする請求項２記載の操作スイッチ。
【発明の詳細な説明】
【技術分野】
【０００１】
本発明は、音響装置、ＣＤ−Ｒ、ＤＶＤ等の種々の電子機器が備える操作スイッチに関する。
【背景技術】
【０００２】
従来、電子機器、特にオーディオ装置等の音響装置では、音質への影響を考慮して、装置の各部に制振対策、吸振対策等、振動に対する様々な措置が採られている。例えば、特許文献１では、カセットテープ蓋が振動することによって発生する当該カセットテープ蓋とカセットテープデッキの他の構成部分との打撃音を解消すべく、テープデッキ用操作釦の天面をカセットテープ蓋の内面に当接させ、テープデッキ用操作釦を支持する弾性体からなるスカートの弾性を利用してスピーカより発生される再生音による振動を吸収する提案がされている。
【０００３】
また、オーディオ装置等のみならず、電子機器は電源のＯＮ／ＯＦＦスイッチや、ボリューム調節用のつまみ等、種々の操作スイッチを有しており、これらの操作スイッチに対する制振対策も検討されている。これらの操作スイッチは通常、電源装置と接続し、電流の制御等を行うものであるが、操作スイッチ自体が振動すると、電源装置が供給する電流、例えば１００Ｖの交流電流が微妙に振動し、この電流の振動がプレーヤの再生系に影響を与え、ひいてはスピーカから発せられる再生音にも影響を与えることがあると考えられる。このようなスイッチ自体の振動を抑制する手段として、図１に示すように、オーディオ装置（ＣＤプレーヤ）５０の電源スイッチ５１に弾性を有する両面テープ５２を用いて錘５３を装着することが行われており、一定の効果が認められている。
【０００４】
【特許文献１】特公平７−１６３０号公報
【発明の開示】
【発明が解決しようとする課題】
【０００５】
しかし、このような錘は、完成したオーディオ装置等が備える各種スイッチの表面に、ユーザが適宜装着する形態のものである。このような形態であると、操作スイッチを操作するときに邪魔になるし、操作を繰り返しているうちに脱落してしまうという問題があった。さらに、このような錘は、前記のように完成したオーディオ装置にユーザが装着するものであることからオーディオ装置の機種毎の専用設計となっておらず、装着後のオーディオ装置の外観を損ねることがあった。また、このように専用設計となっていない錘は取り付けた状態でオーディオ装置等の表面から突出した状態となるので、不意に錘に接触して操作スイッチを動かしてしまったり、錘自体を脱落させてしまったりする原因ともなっていた。
【０００６】
そこで本発明は、振動を抑制できるとともに、ユーザの操作を妨げることがなく、電子機器の外観も損ねることのない操作スイッチを提供することを目的とする。
【課題を解決するための手段】
【０００７】
かかる目的を達成するための本発明の操作スイッチは、電子機器の操作スイッチであって、使用者が触接する操作片の裏側に弾性部材を介して錘を取り付けたことを特徴とする（請求項１）。
【０００８】
電子機器の操作スイッチは、電子機器を作動させることによって、種々の原因により振動が生じ得る。そこで、使用者の触接する操作片に弾性部材を介して錘を取り付ければ、弾性部材に支持された錘が微振動し、電子機器の作動に拠り操作スイッチ全体に生じる振動を打ち消すことができる。ここで、前記弾性部材及び錘の取り付け位置を使用者が触接する操作片の裏側とすれば、前記弾性部材及び錘は電子機器の表面には表れないことから、操作スイッチの操作性に何ら影響を与えず、また、不意の接触による錘の脱落のおそれもない。
なお、本発明における電子機器には、オーディオ装置や、コンピュータ周辺機器等、振動に対する措置が必要となるあらゆる機器が含まれる。また、操作スイッチの形式も例えば押圧式のものやシーソー形式のもの、ダイヤル式のもの等、あらゆる形式のスイッチが含まれる。また、そのスイッチは、電源用であったり、ボリューム調節用であったり、どのような用途のものであっても良い。
【０００９】
このような操作スイッチは、前記錘の重量及び前記弾性部材の形状及び硬さを、前記操作スイッチの振動を抑制できるように前記操作スイッチの固有振動数に対応させた構成とすることができる（請求項２）。
【００１０】
電子機器に取り付けられる操作スイッチは、通常、電子機器内に備わる電源装置等に接続されるが、このような電源装置等に接続される操作スイッチは、固有の振動数を有している。例えば、操作スイッチは電子機器の前面に位置する操作片から前記電子機器の内部に向かって延びる棒体が備わっており、この棒体が前記電子機器の内部に配置した基板上に取り付けたスイッチ本体と一体となって形成されることがある。このような形式のスイッチの場合、前記棒体が振動することがあり、このような棒体は、固有の振動数を有している。また、操作片自体も固有の振動数を有する。さらに、スイッチ本体もその内部構造、基板への取り付け方法等に起因して振動することがあり、固有の振動数を有している。そこで、このような操作スイッチの振動を効率よく制振するためには、操作スイッチ各部、例えば、前記のような操作スイッチであれば、操作片、棒体、スイッチ本体の寸法、材質、構造等を加味して操作スイッチの振動特性を解析し、その解析結果に基づいて錘の重量を決定することが望ましい。この際、操作片の重量、弾性部材の重量も加味することが望ましい。また、操作片と錘との間に介在する弾性部材についても、前記操作スイッチの振動を抑制できるように形状及び硬さを決定することが望ましい。
【００１１】
さらに、このような操作スイッチでは、前記操作片は前記電子機器の内部へ向かって延びる棒体を備え、前記弾性部材及び前記錘をそれぞれリング状に成形し、その内周面に前記棒体が接触しないように前記棒体を挿通した構成とすることができる（請求項３）。
【００１２】
操作スイッチは、前記のような棒体を有することがあるが、本発明の構成とすることにより、例えば、操作片の重心部から前記棒体を延出し、その周囲へ弾性部材、錘を配置するようにでき、操作スイッチ自体を非常にバランスに優れた構成とすることができる。ここで、リング状とした弾性部材及び錘の内周壁に前記棒体を接触させないようにするのは、弾性部材及び錘の内周壁に前記棒体が接触すると、操作スイッチ全体の振動を打ち消すような前記錘の自由な振動が規制され、十分な制振効果が得られなくなるおそれがあるからである。
【発明の効果】
【００１３】
本発明によれば、電子機器の操作スイッチの使用者が触接する操作片の裏側に、弾性部材を介して錘を取り付けたので、スイッチの操作に何ら影響を与えることなく、操作スイッチの制振が可能となった。
【発明を実施するための最良の形態】
【００１４】
以下、本発明を実施するための最良の形態を図面と共に詳細に説明する。
【実施例】
【００１５】
図２（ａ）は、本実施例の操作スイッチ１の断面図であり、（ｂ）は、操作片３部分の拡大断面図である。操作スイッチ１は、円筒形の操作片３と、この操作片３に接続した棒体６と、スイッチ本体２とを有する。このような操作スイッチ１は操作片３側が図示しない電子機器の正面側に位置し、スイッチ本体２が電子機器の内部に位置するように取り付けられる。このスイッチ本体２は電源装置と接続されている。操作片３は、図に示すようにスイッチ本体２側（裏側）に凹部３ａを有する円筒形で、凹部３ａの中心に棒体６が取り付けられている。
【００１６】
凹部３ａには、図に示すように弾性部材４が取り付けられており、さらに、この弾性部材４には錘５が取り付けられている。これらの弾性部材４、錘５の取り付けにはいずれも接着剤が用いられている。弾性部材４及び錘５はいずれもリング状（ドーナツ状）をなしており、その内周面４ａ、５ａが棒体６に接触することのない位置関係となっている。
【００１７】
ここで、錘５の重量及び弾性部材４の形状及び硬さは、それぞれ固有振動数を有する長さＬの棒体６、操作片３、スイッチ本体２からなる操作スイッチ１の固有振動数を考慮して決定した。棒体６の端部には図に示すように操作片３、弾性部材４、錘５が取り付けられることとなる。そこで、棒体６の端部に加わることとなる重量と、棒体６の長さＬ及び各部の寸法、材質、構造等から得られる操作スイッチ１の固有振動数を考慮して、操作スイッチ１の振動を有効に打ち消し、最適な制振効果を得ることができる錘５の重量、弾性部材４の形状及び硬さを決定した。
【００１８】
以上のように構成した操作スイッチ１を備えた電子機器は、電子機器を作動させた際に種々の原因から生じる操作スイッチ１の振動を有効に軽減することができた。このように操作スイッチ１の振動が軽減できたことにより、スイッチ本体２における電流の微振動が抑制され、電子機器の動作におけるノイズの軽減等が図られる。例えば、電子機器がＣＤプレーヤである場合は、音質の改善が見られた。
【００１９】
このような操作スイッチ１は、錘５が操作片３の裏側に位置しているので、操作片３の操作性に何ら影響を及ぼすことはない。また、電子機器の使用中等に錘５が脱落するおそれもない。
【００２０】
上記実施例は本発明を実施するための例にすぎず、本発明はこれらに限定されるものではなく、これらの実施例を種々変形することは本発明の範囲内であり、更に本発明の範囲内において、他の様々な実施例が可能であることは上記記載から自明である。
【図面の簡単な説明】
【００２１】
【図１】（ａ）は、従来用いられている錘をＣＤプレーヤの電源スイッチに取り付けた状態を示す説明図である。（ｂ）は、（ａ）に示した電源スイッチを側面から見た説明図である。
【図２】（ａ）は、本実施例の操作スイッチの断面図である。（ｂ）は、（ａ）に示した操作スイッチの操作片部分を拡大した断面図である。
【符号の説明】
【００２２】
１  操作スイッチ
２  スイッチ本体
３  操作片
４  弾性部材
５  錘
６  棒体
【図１】
2006012577.tif 000003
【図２】
2006012577.tif 000004